(57)【要約】【課題】従来よりも意外性の形態の変化を形態変形玩具に付与することができる形態変形玩具を提供する。【解決手段】  首部１９を第１乃至第４の部材３５〜４１が並ぶ方向に伸縮するように構成する。第１の部材３５を形態変形玩具の被固定部に固定する。第１の部材３５と第２の部材３７をスライド式連結機構により連結する。第２の部材３７が第１の部材３５の内部に嵌合する。第２乃至第４の部材３７〜４１を回動式連結機構により連結する。第２の部材乃至第４の部材３７〜４１の全部または大部分を第１の部材３５の内部に収納する。【選択図】図５
2005177202.tif 000002
【特許請求の範囲】
【請求項１】
複数の部材が連結機構を介して結合されて構成され、一部に伸縮する伸縮構造が用いられている形態変化玩具であって、
前記伸縮構造は、第１乃至第ｎの部材（ｎは３以上の正の整数）がそれぞれ第１乃至第ｎ−１の連結機構を介して順次連結されて構成されて、前記第１乃至第ｎの部材が並ぶ方向に伸縮するように構成されており、
前記第１の部材が前記形態変化玩具の被固定部に固定され、
前記第１の部材と前記第２の部材とを連結する前記第１の連結機構が、前記第１の部材と前記第２の部材とを前記方向にスライド可能に連結するスライド式連結機構であり、
前記第１の連結機構を除いた第２乃至第ｎ−１の連結機構には、隣接する二つの前記部材を所定の角度範囲内で相対的に回動し得るように連結する回動式連結機構が含まれており、
前記第２の部材が前記第１の部材の内部に嵌合され、
前記スライド式連結機構は、前記第２の部材が前記第１の部材の内部に最も深く入り込んだ第１の位置と最も浅く入り込んでいる第２の位置との間で前記第２の部材が前記第１の部材に対して前記スライド動作をするように構成され、
前記第２の部材が前記第１の位置にあるときに、前記第３の部材乃至第ｎの部材の全部または大部分が前記第１の部材の内部に収納されるように前記第１乃至第ｎの部材が構成されていることを特徴とする形態変形玩具。
【請求項２】
前記第２の部材が前記第１の位置または前記第２の位置にあるときに、前記第２の部材と前記第１の部材との間に、第１の部材と第２の部材との間にスライドを生じさせる力を前記第２の部材に積極的に加えると離脱する係合状態を形成する係合部及び被係合部の一方が前記第１の部材に設けられ他方が前記第２の部材に設けれている請求項１に記載の形態変形玩具。
【請求項３】
前記回動式連結機構は、前記回動式連結機構によって連結される前記二つの部材のうち一方の前記部材に設けられて前記部材が並ぶ方向と交差する方向に延びる回動軸と、前記二つの部材のうち他方の前記部材に設けられて前記回動軸に回動可能に連結される被連結部と、前記回動軸を中心にした前記他方の部材の回動範囲を規制するストッパ部とから構成されている請求項１または２に記載の形態変形玩具。
【請求項４】
前記第２乃至第ｎの部材を順次連結する前記第２乃至第ｎ−１の連結機構が、すべて前記回動式連結機構によって構成されていることを特徴とする請求項１に記載の形態変形玩具。
【請求項５】
前記第２乃至第ｎ−１の連結機構を構成する前記回動式連結機構は、前記回動式連結機構によって連結される前記二つの部材のうち一方の前記部材に設けられて前記部材が並ぶ方向と交差する方向に延びる回動軸と、前記二つの部材のうち他方の前記部材に設けられて前記回動軸に回動可能に連結される被連結部と、前記回動軸を中心にした前記他方の部材の回動範囲を規制するストッパ部とから構成され、
前記複数の部材が並んで構成される部材列の中心を通って前記部材が並ぶ方向に延びる仮想中心線に沿って、前記第２乃至第ｎ−１の連結機構のｎ−１本の前記回動軸が列をなすように配置され、
前記第２乃至第ｎ−１の連結機構のｎ−１箇所の前記ストッパ部が前記仮想中心線に沿い且つ前記仮想中心線を間に挟んで前記回動軸とは反対側の位置に配置されていることを特徴とする請求項４に記載の形態変形玩具。
【請求項６】
第１乃至第４の部材が用いられ、
前記第２の部材は、周壁によって囲まれて一方の方向に開口する第１の嵌合用孔部と、前記第１の嵌合用孔部よりも前記一方の側に位置する前記第１の被連結部とを有しており、
前記第３の部材は、前記第１の嵌合用孔部内に緩く嵌合される第１の被嵌合部と、前記第１の被連結部が連結される前記第１の回動軸と、周壁によって囲まれて一方の方向に開口する第２の嵌合用孔部と、前記第２の被嵌合用孔部よりも前記一方の側に位置する第２の被連結部とを有しており、
前記第４の部材は、前記第２の嵌合用孔部内に緩く嵌合される第２の被嵌合部と、前記第２の被連結部が連結される前記第２の回動軸とを備えている請求項５に記載の形態変形玩具。
【請求項７】
前記第１の嵌合用孔部の内壁の一部及び該一部と当接する前記第１の被嵌合部の外壁の一部によって前記ストッパ部が構成され、
前記第２の嵌合用孔部の内壁の一部及び該一部と当接する前記第２の被嵌合部の外壁の一部によって前記ストッパ部が構成されている請求項６に記載の形態変形玩具。
【請求項８】
前記伸縮構造が、形態変化玩具の首、腕、足または尾のいずれかである請求項１に記載の形態変形玩具。
【発明の詳細な説明】
【技術分野】
【０００１】
本発明は、複数の部材がそれぞれ連結機構を介して順次連結されて構成され、複数の部材が並ぶ方向に伸縮する伸縮構造を備えた形態変形玩具に関するものである。
【背景技術】
【０００２】
特公平５−８２２３３号公報（特許文献１）や特許第２８９９７８３号（特許文献２）等に示されるように、従来の形態変形玩具では、単純なスライド機構により二つの部材ユニットを連結する伸縮構造を用いている。
【特許文献１】特公平５−８２２３３号
【特許文献２】特許第２８９９７８３号
【発明の開示】
【発明が解決しようとする課題】
【０００３】
従来の伸縮構造では、直線的に伸縮した形態の変化を作りだせるだけで、見る者に与える形態の変化としては、きわめて単純なものであり、意外性のある形態の変化を得ることができなかった。
【０００４】
本発明の目的は、従来よりも意外性のある形態の変化を形態変形玩具に付与することができる形態変形玩具を提供することにある。
【０００５】
本発明の他の目的は、形態の伸縮変形と曲げ変形の両方を行うことができる形態変形玩具を提供することにある。
【課題を解決するための手段】
【０００６】
本発明は、複数の部材が連結機構を介して結合されて構成され、一部に伸縮する伸縮構造が用いられている形態変化玩具を対象とする。伸縮構造は、第１乃至第ｎの部材（ｎは３以上の正の整数）がそれぞれ第１乃至第ｎ−１の連結機構を介して順次連結されて構成されて、第１乃至第ｎの部材が並ぶ方向に伸縮するように構成されている。第１の部材が形態変形玩具の被固定部に固定される。そして第１の部材と第２の部材とを連結する第１の連結機構として、第１の部材と第２の部材とを前記部材が並ぶ方向にスライド可能に連結するスライド式連結機構を用いる。第２の部材が第１の部材の内部に嵌合されるようにする。その上で、スライド式連結機構を、第２の部材が第１の部材の内部に最も深く入り込んだ第１の位置と最も浅く入り込んでいる第２の位置との間で第２の部材が第１の部材に対してスライド動作をするように構成する。また第１の連結機構を除いた第２乃至第ｎ−１の連結機構には、隣接する二つの部材を所定の角度範囲内で相対的に回動または傾け得るように連結する回動式連結機構を含める。そして第２の部材が第１の位置にあるときに、第３の部材乃至第ｎの部材の全部または大部分が第１の部材の内部に収納されるように第１乃至第ｎの部材を構成する。
【０００７】
本発明の伸縮機構を用いると、第２の部材を第２の位置まで引き出すことにより、大きな伸縮量を得ることができる。そして引き出された第２乃至第ｎの部材が顕在化することにより、見る者に意外性のある形態の変化を感じ取らせることができる。その上、回転式連結機構により連結される二つの部材の間で所定の角度範囲内での回動または傾きが得られることにより、連結される第２乃至第ｎの部材の部分では、少しの伸縮変形と曲げ変形とが得られる。その結果、見る者に、従来よりも形態の変化に意外性があることを感じさせることができるだけでなく、玩具を変形させる楽しさをより増大させて感じ取らせることができる。
【０００８】
なお第２の部材が第１の位置または第２の位置にあるときに、第２の部材と第１の部材との間に、第１の部材と第２の部材との間にスライドを生じさせる力を第２の部材に積極的に加えると離脱する係合状態を形成する係合部及び被係合部の一方を第１の部材に設け、また他方を第２の部材に設けるのが好ましい。このようにすると形態変形玩具を傾けただけでは第２の部材がスライドすることはなく、変形した伸縮機構の形態を確実に維持することができる。
【０００９】
回動式連結機構は、回動式連結機構によって連結される二つの部材のうち一方の部材に設けられて複数の部材が並ぶ方向と交差する方向（好ましくは直交する方向）に延びる回動軸と、二つの部材のうち他方の部材に設けられて回動軸に回動可能に連結される被連結部と、回動軸を中心にした他方の部材の回動範囲を規制するストッパ部とから構成することができる。このような回動式連結機構を用いると、二つの部材は回動軸を中心にして所定の角度範囲内で回動する（または傾く）。またストッパ部の存在により回動動作または傾き動作が規制されるため、連結機構が破壊されるほどの力が各部材に加えられるのを阻止することができる。
【００１０】
なお第２乃至第ｎの部材を順次連結する第２乃至第ｎ−１の連結機構を、すべて回動式連結機構によって構成してもよい。このようにすると、第１の部材から引き出された第２乃至第ｎの部材を最も大きく曲げることが可能になる。その結果、変形した長い首、長い胴体、長い尻尾などを簡単に形成することができる。
【００１１】
なお複数の部材が並んで構成される部材列の中心を通って部材が並ぶ方向に延びる仮想中心線に沿って、第２乃至第ｎ−１の連結機構のｎ−１本の回動軸を列をなすように配置する。そして第２乃至第ｎ−１の連結機構のｎ−１箇所のストッパ部を、仮想中心線に沿い且つ仮想中心線を間に挟んで回転軸とは反対側の位置に配置する。このようにすると、仮想中心線が常にアーチ状または弧状に湾曲することになり、首長恐竜や首長怪獣等のように首の長い形態の人形の首部を容易に形成することができる伸縮機構を得ることができる。
【００１２】
第１乃至第４の部材が用いられる場合には、次のように伸縮機構を構成することができる。すなわち第２の部材を、周壁によって囲まれて一方の方向に開口する第１の嵌合用孔部と、第１の嵌合用孔部よりも一方の側に位置する第１の被連結部とを有する構造にする。そして第３の部材を、第１の嵌合用孔部内に緩く嵌合される第１の被嵌合部と、第１の被連結部が連結される第１の回動軸と、周壁によって囲まれて一方の方向に開口する第２の嵌合用孔部と、第２の嵌合用孔部よりも一方の側に位置する第２の被連結部とを有する構造にする。さらに第４の部材を、第２の嵌合用孔部内に緩く嵌合される第２の被嵌合部と、第２の被連結部が連結される第２の回動軸とを備えた構造にする。このようにすると回動軸と被連結部との連結作業だけで、第２乃至第４の部材を簡単に連結することができる。またこの場合において、第１の嵌合用孔部の内壁の一部及び該一部と当接する第１の被嵌合部の外壁の一部によってストッパ部を構成し、第２の嵌合用孔部の内壁の一部及び該一部と当接する第２の被嵌合部の外壁の一部によってストッパ部を構成する。このようすれば、特別にストッパを構成するための構造を用意することなく、ストッパ部を形成することができ、伸縮構造の構成が簡単になるだけでなく、製造が容易になる。
【００１３】
本発明の伸縮機構は、体の一部が変形して姿を変える形態変形玩具のどの部分に用いてもよい。首の長い人形玩具であれば、首の部分に本発明の伸縮機構を適用すればよい。また長い尻尾を有する人形玩具であれば、その尻尾の形成に本発明の伸縮機構を適用すればよい。さらに腕部や、脚部などの構造にも本発明の伸縮機構を用いることができる。
【発明の効果】
【００１４】
本発明の伸縮機構を用いると、第２の部材を第２の位置まで引き出すことにより、大きな伸縮量を得ることができ、引き出された第２乃至第ｎの部材が顕在化することにより、見る者に意外性のある形態の変化を感じ取らせることができる利点が得られる。その上、回転式連結機構により連結される二つの部材の間で所定の角度範囲内での回動または傾きが得られることにより、連結される第２乃至第ｎの部材の部分では、少しの伸縮変形と曲げ変形とが得られる。その結果、見る者に、従来よりも形態の変化に意外性があることを感じさせることができるだけでなく、玩具を変形させる楽しさをより増大させることができる。
【発明を実施するための最良の形態】
【００１５】
以下図面を参照して本発明の実施の形態を詳細に説明する。図１乃至図４は、本発明の形態変形玩具の実施の形態の変形状態をそれぞれ示す斜視図である。この形態変形玩具は,いわゆるロボット玩具である。図１に示す状態では、ロボット玩具１の２本の脚部３及び５の先端に設けられた足部７及び９のうち、左足部９が爪先立ちになった状態に変形されている。また２本の腕１１及び１３の上に位置する肩部を覆うカバー１５および１７のうち、左肩側のカバー１７が上がった状態に変形されている。図２に示す状態では、図１と対比すると分かるように、首部１９が伸びて頭部２０が前方に傾斜して形状が変形している。この首部１９の伸縮には、後に詳しく説明する形態変形玩具用伸縮構造が採用されている。図３に示す状態は、図２に示す状態と対比すると分かるように、腕部１１および１３を構成する一つの部材に他の部材２１及び２３が連結機構を介して連結されている点と、頭部２０にも連結機構を介して他の部材２４が連結されている点で、図２に示す状態とは異なっている。図４に示す状態は、図３に示す状態と対比すると分かるように、脚部の形状が相違している点と、尻尾の有無と、背中に武器を背負っている点で、図３に示す状態とは異なっている。図４の状態では、図３に示した脚部３及び５が、大腿部３ｂ、５ｂと脛部３ａ、５ａの部分で分離され、大腿部３ｂ、５ｂには他の部材２５及び２７が連結機構を介して連結され、この他の部材２５及び２７の下に元の脛部３ａ，５ａ以下の部分が連結されている。足部７及び９は、脛部３ａ，５ａに対しては爪先立ちになった状態に変形されている。図３の状態と比べて、図４の変形態様では、足部の形状が大きくなるため、かなり安定した状態になる。
【００１６】
図５乃至図８は、図１乃至図４に示したロボット玩具１の首部１９を構成する伸縮構造をイメージで示すイラスト図である。そして図９（Ａ）乃至（Ｅ）は、首部１９の構成を説明するために用いる図である。図５及び図６は、図１に示すように、変形前のロボットの顔２０が上半身３３の上に見えていて、まだ首部１９が延びる前の上半身３３の内部の状態を反割状態で示している。図７及び図８は、首部１９が伸びて上半身３３の外部に首部の主要部が露出した状態を反割状態で示している。
【００１７】
ロボット玩具１の上半身の内部には、首部１９の伸縮構造を構成する第１乃至第４の部材３５,３７,３９及び４１が収納されている。第１乃至第４の部材３５乃至４１は、それぞれ第１乃至第３の連結機構を介して順次連結されて構成されている。まず第１の部材３５は、ロボット玩具１の上半身３３（被固定部）の内部に固定されている。第１の部材３５は、上方に開口部３５ａを有する箱型形状を有している。図５によく示されるように、第１の部材３５の一対の側壁３５ｂ及び３５ｃには、内部に向かって開口し且つ上下方向に延びる一対のガイド溝３６が形成されている。これらの一対のガイド溝３６の下端と上端には、対応するガイド溝３６とは不連続な状態でそれぞれ係合用凹部（被係合部）３６ａ及び３６ｂが形成されている。これら一対のガイド溝３６と係合用凹部３６ａ及び３６ｂには、第２の部材３７に設けれた一対の転動ボール部材３８（図５及び図９）が嵌合される。図９（Ｃ）に示すように、転動ボール３８は圧縮バネ４０によって常時外側に向かって付勢されている。例えば、下側の係合用凹部３６ａに転動ボール３８が嵌合されている状態で、第２乃至第４の部材３７〜４１が上方に向かって引っ張られると、転動ボール３８が係合用凹部３６ａとガイド溝３６との間にある壁部を乗り越えてガイド溝３６内に入り込む。この状態で更に第２乃至第４の部材３７〜４１が上方に引っ張られると、転動ボール３８はガイド溝３６に沿って上昇し、最終的に上側の係合用凹部３６ｂ内に嵌り込む。その結果、第２乃至第４の部材３７〜４１が下方に自然に重力の作用で下がるのが阻止される。この状態で、第２乃至第４の部材３７〜４１に下に向かう力を加えると、転動ボール３８は係合用凹部３６ｂとガイド溝３６との間の壁を乗り越えてガイド溝３６へと入り下方へと移動する。そして最終的に強く押し下げると、転動ボール３８は係合用凹部３６ａへと入り込んで上方への移動が阻止された状態になる。この実施の形態では、ガイド溝３６、上下の係合用凹部３６ａ及び３６ｂと転動ボール３８とによって第１の部材と第２の部材とを連結する第１の連結機構が構成されている。この連結機構は、第１の部材３５と第２の部材３７とを各部材３５〜４１が並ぶ方向にスライド可能に連結するスライド式連結機構を構成している。このスライド式連結機構は、第２の部材３７が第１の部材３５の内部に最も深く入り込んだ第１の位置（転動ボール３８が下側の係合用凹部３６ａに入り込んだ状態：図５及び図６に示す状態）と最も浅く入り込んでいる第２の位置（転動ボール３８が上側の係合用凹部３６ｂに入り込んだ状態：図７及び図８に示す状態）との間で第２の部材３７が第１の部材３５に対してスライド動作をするように構成されている。この例では、第２の部材３７が第１の位置にあるときに、第２の部材乃至第４の部材３７〜４１の全部または大部分が第１の部材３５の内部に収納されている。したがってこの状態では、首部１９は外部から観察することはできない。
【００１８】
第２の部材３７と第３の部材３９とを連結する第２の連結機構と、第３の部材３９と第４の部材４１とを連結する第３の連結機構には、隣接する二つの部材を所定の角度範囲内で相対的に回動または傾け得るように連結する回動式連結機構が用いられている。回動式連結機構について図１０（Ａ）乃至（Ｃ）を参照して説明する。回動式連結機構は、回動式連結機構によって連結される二つの部材（部材３７と部材３９または部材３９と部材４１）のうち一方の部材（３９，４１）に設けられて複数の部材が並ぶ方向と交差する方向（好ましくは直交する方向）に延びる回動軸４５ａ，４５ｂと、二つの部材（部材３７と部材３９または部材３９と部材４１）のうち他方の部材（３７，３９）に設けられて回動軸４５に回動可能に連結される被連結部４７ａ，４７ｂと、回動軸４５ａ，４５ｂを中心にした他方の部材の回動範囲を規制するストッパ部４９ａ，４９ｂとから構成される。このような回動式連結機構を用いると、二つの部材は回動軸４５ａ，４５ｂを中心にして所定の角度範囲内で回動する（または傾く）。またストッパ部４９ａ，４９ｂの存在により回動動作または傾き動作が規制される。
【００１９】
より具体的に説明すると、第２の部材３７は、周壁３７ａによって囲まれて一方の方向に開口する第１の嵌合用孔部３７ｂと、第１の嵌合用孔部３７ｂよりも上方側に位置する第１の被連結部４７ａとを有している。第１の被連結部４７ａには、回動軸４５ａが嵌合される貫通孔４７ａ1が形成されている。また第３の部材３９は、第２の部材３７の第１の嵌合用孔部３７ｂ内に緩く嵌合される第１の被嵌合部３９ａと、第１の被連結部４７ａが連結される第１の回動軸４５ａと、周壁３７ａによって囲まれて少なくとも上方に向かって開口する第２の嵌合用孔部３９ｂと、第１の嵌合用孔部３７ｂよりも上方側に位置する第２の被連結部４７ｂとを有している。第２の被連結部４７ｂには回動軸４５ｂが嵌合される貫通孔４７ｂ1が形成されている。さらに第４の部材４１は、第３の部材３９の第２の嵌合用孔部３９ｂ内に緩く嵌合される第２の被嵌合部４１ａと、第３の部材３９の第２の被連結部４７ｂが連結される第２の回動軸４５ｂとを備えている。
【００２０】
このようにすると回動軸４５ａ，４５ｂと被連結部４７ａ，４７ｂとの連結作業だけで、第２乃至第４の部材３７〜４１を簡単に連結することができる。またこの場合において、第１の嵌合用孔部３７ａの内壁の一部及び該一部と当接する第１の被嵌合部３９ａの外壁の一部によってストッパ部４９ａを構成し、第２の嵌合用孔部３９ｂの内壁の一部及び該一部と当接する第２の被嵌合部４１ａの外壁の一部によってストッパ部４９ｂを構成する。このようすれば、特別にストッパを構成するための構造を用意することなく、ストッパ部を形成することができ、伸縮構造の構成が簡単になるだけでなく、製造が容易になる。
【００２１】
この例では、第２乃至第４の部材を順次連結する第２及び第３の連結機構を、すべて回動式連結機構によって構成している。そのため第１の部材３５から引き出された第２乃至第４の部材３７〜４１を最も大きく曲げることが可能になる［図９（Ｅ）参照］。その結果、変形した長い首を簡単に形成することができる。
【００２２】
またこの例では、図１０（Ｂ）に示すように、第１乃至第４の部材３５〜４１が並んで構成される部材列の中心を通って部材が並ぶ方向に延びる仮想中心線ＣＬに沿って、第２乃至第３の連結機構の２本の回動軸４５ａ及び４５ｂを列をなすように配置する。そして第２及び第３のの連結機構の２箇所のストッパ部４９ａ及び４９ｂを、仮想中心線ＣＬに沿い且つ仮想中心線ＣＬを間に挟んで回転軸４５ａ及び４５ｂとは反対側の位置に配置している。このようにすると、仮想中心線ＣＬが常にアーチ状または弧状に湾曲することになり、首の長い形態の人形の首部を容易に形成することができる伸縮機構を得ることができる。
【００２３】
本実施の形態では、第２の部材３７を第２の位置（転動ボール３８が上側の係合用凹部３６ｂに入り込んだ状態：図７及び図８に示す状態）まで引き出すことにより、大きな伸縮量を得ることができる。そして引き出された第２乃至第４の部材３７〜４１が顕在化することにより、見る者に意外性のある形態の変化を感じ取らせることができる。その上、回転式連結機構により連結される二つの部材（部材３７と部材３９、部材３９と部材４１）の間で所定の角度範囲内での回動または傾きが得られることにより、連結される第２乃至第４の部材３７〜４１の部分では、少しの伸縮変形と曲げ変形とが得られる。その結果、見る者に、従来よりも形態の変化に意外性があることを感じさせることができる。
【００２４】
上記の伸縮機構は、体の一部が変形して姿を変える形態変形玩具のどの部分に用いてもよい。首の長い人形玩具であれば、首の部分に本発明の伸縮機構を適用すればよい。また図４に示すように長い尻尾３４を有する人形玩具であれば、その尻尾３４の形成に上記伸縮機構を適用することができる。さらに腕部や、脚部などの構造にもこの伸縮機構を用いると、更に意外性のある変形を得るころができる。
【図面の簡単な説明】
【００２５】
【図１】本発明の形態変形玩具の実施の形態の変形状態を示す斜視図である。
【図２】本発明の形態変形玩具の実施の形態の変形状態を示す斜視図である。
【図３】本発明の形態変形玩具の実施の形態の変形状態を示す斜視図である。
【図４】本発明の形態変形玩具の実施の形態の変形状態を示す斜視図である。
【図５】図１乃至図４に示したロボット玩具の首部を構成する伸縮構造をイメージで示すイラスト図である。
【図６】図１乃至図４に示したロボット玩具の首部を構成する伸縮構造をイメージで示すイラスト図である。
【図７】図１乃至図４に示したロボット玩具の首部を構成する伸縮構造をイメージで示すイラスト図である。
【図８】図１乃至図４に示したロボット玩具の首部を構成する伸縮構造をイメージで示すイラスト図である。
【図９】（Ａ）は第１の部材乃至第４の部材からなる首部の構成を説明するために用いる一部断面図であり、（Ｂ）は第２乃至第４の部材からなる首部の主要部の構成を示す正面図であり、（Ｃ）は図９（Ｂ）を縦に半分にして示した図であり、（Ｄ）は図９（Ｂ）の首部の主要部の背面図であり、（Ｅ）は首部の主要部の曲がり方を示す図である。
【図１０】（Ａ）は首部の主要部の側面図であり、（Ｂ）は図１０（Ａ）の内部構造を示す図であり、（Ｃ）は図１０（Ｂ）を上下方向に分解した図である。
【符号の説明】
【００２６】
１  ロボット玩具（形態変形玩具）
３，５  脚
７，９  足部
１１，１３  腕
１５，１７  カバー
１９  首部
２０  顔
２１，２３，２５，２７  他の部材
３３  上半身
３５乃至４１  第１乃至第４の部材
３６  ガイド溝
３８  転動ボール
４５ａ，４５ｂ  回動軸
４７ａ，４７ｂ  被連結部材
４９ａ，４９ｂ  ストッパ部
【図１】
2005177202.tif 000003
【図２】
2005177202.tif 000004
【図３】
2005177202.tif 000005
【図４】
2005177202.tif 000006
【図５】
2005177202.tif 000007
【図６】
2005177202.tif 000008
【図７】
2005177202.tif 000009
【図８】
2005177202.tif 000010
【図９】
2005177202.tif 000011
【図１０】
2005177202.tif 000012